(57)【要約】      （修正有）【課題】ラジエータに効率よく冷却風を送風し、ラジエータの冷却効率を向上させる冷却装置を提供する。【解決手段】少なくとも２つの冷却ユニット１１、１２を有し、前記冷却ユニットは、水平方向に拡がる板状のコールドプレート２０、２１と、前記コールドプレート上において、水平方向に垂直な第１方向に延び、かつ前記第１方向と垂直な第２方向に平行に配置される複数の板状のフィン２４、２５を有するラジエータ２２、２３と、前記コールドプレートおよび前記ラジエータへ冷媒液を供給するポンプ５、６と、を有し、前記ポンプは、前記ラジエータに隣接し、前記ラジエータの前記第２方向に配置され、前記２つの冷却ユニットのうち、一方の第１冷却ユニット１１の前記ポンプは、前記２つの冷却ユニットのうち、他方の第２冷却ユニット１２と、前記第２方向と対向する、または、前記第１方向および前記第２方向と直行する第３方向と対向する、冷却装置１。【選択図】図１
2020076530.tif 000002
【特許請求の範囲】
【請求項１】
少なくとも２つの冷却ユニットを有し、
前記冷却ユニットは、
水平方向に拡がる板状のコールドプレートと、
前記コールドプレート上において、水平方向に垂直な第１方向に延び、かつ前記第１方向と垂直な第２方向に平行に配置される複数の板状のフィンを有するラジエータと、
前記コールドプレートおよび前記ラジエータへ冷媒液を供給するポンプと、
を有し、
前記ポンプは、前記ラジエータに隣接し、前記ラジエータの前記第２方向に配置され、
前記２つの冷却ユニットのうち、一方の第１冷却ユニットの前記ポンプは、
前記２つの冷却ユニットのうち、他方の第２冷却ユニットと、前記第２方向と対向する、または、前記第１方向および前記第２方向と直行する第３方向と対向する、冷却装置。
【請求項２】
前記第１冷却ユニットの前記ポンプは、第２方向一方側に配置され、
前記第２冷却ユニットの前記ポンプは、第２方向他方側に配置され、
前記第１冷却ユニットの前記ポンプと前記第２冷却ユニットの前記ポンプとは、前記第２方向に向かい合って配置されている、請求項１に記載の冷却装置。
【請求項３】
前記第１冷却ユニットの前記ポンプの少なくとも一部と、前記第２冷却ユニットの前記ポンプの少なくとも一部とは、前記第３方向に対向して配置される、請求項２に記載の冷却ユニット。
【請求項４】
前記冷却ユニットは、前記ラジエータと前記ポンプとの間に、前記冷媒液を収容するタンクをさらに有し、
前記第１冷却ユニットの前記ポンプは、前記第２冷却ユニットの前記タンクと前記第２方向に対向する、請求項２または請求項３に記載の冷却装置。
【請求項５】
前記第１冷却ユニットの前記ポンプの第２方向一方側端部は、第２方向において、前記第２冷却ユニットの前記ポンプの第２方向他方側端部と同じ位置にある、請求項４に記載の冷却装置。
【請求項６】
前記第１冷却ユニットの前記タンクと前記第２冷却ユニットの前記タンクとは、第２方向に対向して配置される、請求項４に記載の冷却装置。
【請求項７】
前記第１の冷却ユニットの前記ポンプと前記第２冷却ユニットの前記ポンプとは、第２方向に対向して配置される、請求項２に記載の冷却装置。
【請求項８】
前記第１冷却ユニットの前記ポンプおよび前記第２冷却ユニットの前記ポンプは、第２方向一方側に配置されている、請求項１に記載の冷却装置。
【請求項９】
前記冷却ユニットと第３方向に対向する位置に、送風ファンが配置されている、請求項１から請求項８のいずれかに記載の冷却装置。
【請求項１０】
前記２つの冷却ユニットが第２方向に隣り合う隙間は、前記冷却ユニットの第２方向の幅よりも小さい、請求項１から９のいずれかに記載の冷却装置。
【請求項１１】
前記送風ファンは、複数配置されている、請求項１から請求項１０のいずれかに記載の冷却装置。
【発明の詳細な説明】
【技術分野】
【０００１】
本発明は、冷却装置に関する。
【背景技術】
【０００２】
従来の液冷システムは、例えば、特許文献１において、発熱源と熱的に接触し、該発熱源の熱を奪う受熱プレートと、ラジエータと、この受熱プレートとラジエータとの間で冷媒を循環させるポンプと、ラジエータに対して冷却風を与える冷却ファンとを有する。流路が独立したラジエータを複数設け、これらラジエータに対して冷却風を与える冷却ファンを、該ラジエータの数より少数設けている。
【先行技術文献】
【特許文献】
【０００３】
【特許文献１】特開２０１０−１５６４６７号公報
【発明の概要】
【発明が解決しようとする課題】
【０００４】
しかしながら、従来の液冷システムは、冷却風の一部が複数のラジエータ間に流れる可能性がある。したがって、冷却風がラジエータに効率よく送風されない可能性がある。
【０００５】
本発明は、ラジエータに効率よく冷却風を送風し、ラジエータの冷却効率を向上させることを目的とする。
【課題を解決するための手段】
【０００６】
少なくとも２つの冷却ユニットを有し、冷却ユニットは、水平方向に拡がる板状のコールドプレートと、コールドプレート上において、水平方向に垂直な第１方向に延び、かつ第１方向と垂直な第２方向に平行に配置される複数の板状のフィンを有するラジエータと、コールドプレートおよびラジエータへ冷媒液を供給するポンプと、を有し、ポンプは、ラジエータに隣接し、ラジエータの第２方向に配置され、２つの冷却ユニットのうち、一方の第１冷却ユニットのポンプは、２つの冷却ユニットのうち、他方の第２冷却ユニットと、第２方向と対向する、または、第１方向および第２方向と直行する第３方向と対向する、冷却装置。
【発明の効果】
【０００７】
例示的な本発明によれば、ラジエータの冷却効率を向上させることを目的とする。
【図面の簡単な説明】
【０００８】
【図１】図１は、本発明の例示的な第１実施形態に係る冷却装置の斜視図である。
【図２】図２は、本発明の例示的な第２実施形態に係る冷却装置の平面図である。
【図３】図３は、本発明の例示的な第３実施形態に係る冷却装置の平面図である。
【図４】図４は、本発明の例示的な第４実施形態に係る冷却装置の平面図である。
【図５】図５は、本発明の例示的な第５実施形態に係る冷却装置の平面図である。
【図６】図６は、本発明の例示的な第６実施形態に係る冷却装置の平面図である。
【発明を実施するための形態】
【０００９】
以下、本発明の例示的な実施形態について、図面を参照しつつ説明する。なお、本願では、コールドプレートに対して、ラジエータが配置されている方向を「上側」、ラジエータが配置されている方向の反対側を「下側」、とそれぞれ称し、上下方向を定義する。また、本願では、コールドプレートに対してラジエータが配置されている方向を「第１方向」と称する。「第１方向」と直交し、フィンが平行に配置される方向を「第２方向」と称する。本願では、「第２方向」と水平方向に直交する方向を「第３方向」と称して、各部の形状や位置関係を説明する。また、冷却風が上流側から下流側へ流れる方向は、図中の矢印にて示す。ただし、これは、あくまで説明の便宜のために上下方向および水平方向を定義したものであって、本発明に係る冷却装置の製造時および使用時の向きを限定するものではない。
【００１０】
また、本願において「平行な方向」とは、略平行な方向も含む。また、本願において「直交する方向」とは、略直交する方向も含む。
【００１１】
＜第１実施形態＞
本発明の例示的な一実施形態の冷却装置１について説明する。図１は本発明の例示的な第１実施形態に係る冷却装置の斜視図である。
【００１２】
冷却装置１は、少なくとも２つの冷却ユニットを有する。本願では、２つの冷却ユニットの一方を第１冷却ユニット１１、他方を第２冷却ユニット１２と称して説明する。また、第２冷却ユニット１２の説明は、第１冷却ユニット１１と異なる点のみ記載する。便宜上、第２冷却ユニット１２の説明をする際、第１冷却ユニット１１と同様の構成の箇所には第１冷却ユニット１１と同様の符号を付す。
【００１３】
冷却ユニット１１、１２は、コールドプレート２０、２１ラジエータ２２、２３およびポンプ５、６を有する。ラジエータ２２、２３は、コールドプレート２０、２１の上に配置される。コールドプレート２０、２１の上面とラジエータ２２、２３の下面とが接触する。ポンプ５、６は、冷却ユニット１１、１２の第２方向側に取り付けられる。
【００１４】
＜コールドプレート＞
コールドプレート２０、２１は、銅又はアルミニウム等の熱伝導性の高い金属からなり、上面視において水平方向に拡がる矩形の板状である。なお、本実施形態のコールドプレート２０、２１は上面視において四角形であるがこの限りではなく、例えば、上面視において複数の角を有する多角形、または円形であってもよい。コールドプレート２０、２１の下面には発熱部品３が配置される。
【００１５】
コールドプレート２０、２１は、内部に冷媒液が流通する第１冷媒流路を有する（不図示）。第１冷媒流路は、コールドプレート２０、２１内の空間である。第１冷媒流路の内部には平行に複数並んで配置されるブレード（不図示）が設けられる。また、第１冷媒流路には流入口（不図示）および流出口（不図示）が設けられる。流入口を介して第１冷媒流路に流入した冷媒液は流出口を介して第１冷媒流路から放出する。
【００１６】
本実施形態における冷媒液は、例えば、エチレングリコール水溶液またはプロピレングリコール水溶液のような不凍液や純水等が使用される。
【００１７】
＜ラジエータ＞
ラジエータ２２、２３は、コールドプレート２０、２１上において、水平方向に垂直な第１方向に延びて配置される。ラジエータ２２、２３は、冷却用の複数のフィン２４、２５およびパイプ（不図示）を有する。複数のフィン２４、２５は板上に形成され、コールドプレート２０の上面から起立し、第１方向と垂直な第２方向に平行に配置される。複数のフィン２４、２５は、コールドプレート２０、２１の上において、等間隔に配置される。
【００１８】
複数のフィン２４、２５の下端は、コールドプレート２０、２１の上面と接する。これにより、コールドプレート２０、２１からフィン２４、２５への熱伝導性が向上する。なお、フィン２４、２５とコールドプレート２０、２１とは別の部材であってもよく、同一の部材であってもよい。本実施形態において、フィン２４、２５はコールドプレート２０、２１とは別部材である。フィン２４、２５の下端は、例えば、コールドプレート２０、２１の上面に溶接によって接合される。
【００１９】
フィン２４、２５がコールドプレート２０、２１と同一の部材である場合、例えば、フィン２４、２５は、コールドプレート２０、２１を切削加工して形成される。なお、フィン２４、２５とコールドプレート２０、２１が別部材の場合、上述のコールドプレート２０、２１と同様に、フィン２４、２５は銅又はアルミニウム等の熱伝導性の高い金属であることが好ましい。フィン２４、２５が、コールドプレート２０、２１と同様に熱伝導性の高い金属で形成されることで、コールドプレート２０、２１からの熱を効率よくフィン２４、２５へ伝達することができる。
【００２０】
パイプ（不図示）は、内部が中空であって冷媒液が通る第２冷媒流路（不図示）を形成する。第２冷媒流路の一方側端部は、第１冷媒流路と接続される。後述するが、第２冷媒流路は、例えば、タンクやポンプを介して第１冷媒流路と接続される。
【００２１】
パイプは、第３方向に直線状に延びる。パイプは、複数のフィン２４、２５に設けられた貫通孔に挿通されて溶接により複数のフィン２４、２５と固定される。このとき、パイプの延びる方向とフィン２４の延びる方向とが直交する。つまり、本実施形態において、複数のフィン２４、２５は第２方向に延び、パイプは第３方向に延びる。
【００２２】
＜ポンプ＞
第１冷却ユニット１１は、ポンプ５を有する。第１冷却ユニット１１のポンプ５は、第２方向一方側に配置される。ポンプ５は、コールドプレート２０およびラジエータ２２に冷媒液を供給する。
【００２３】
ポンプ５は、ラジエータ２２の第２方向一方側に隣接して配置される。ポンプ５は、後述する第２タンク４２の側面に配置されてもよい。本実施形態における、ポンプ５は遠心型ポンプであり、直方体形状の筐体の内部に冷媒液の流路であるポンプ流路を有する（不図示）。ポンプ流路には、羽根車（不図示）が配置される。ポンプ５は、吸込口（不図示）と吐出口（不図示）とを有する。
【００２４】
ポンプ５の吸込口とラジエータ２２と第２流路とは直接的、または、間接的に接続される。ポンプ５の吐出口は、コールドプレート２０の流入口と接続される。本実施形態では、ポンプ５の吸込口とラジエータ２２とは第２タンク４２を介して接続される。
【００２５】
ポンプ５の羽根車は、第２方向に延びる中心軸を中心に回転可能に支持され、モータ（不図示）の回転軸と連結される。モータの駆動により羽根車が回転し、吸込口から流入した冷媒液が吐出口から吐出される。ポンプ５は、吸込口を介してパイプの延びる方向に冷媒液を吸込む。
【００２６】
第２冷却ユニット１２は、ポンプ６を有する。第２冷却ユニット１２のポンプ６は、第２方向他方側に配置される。ポンプ６は、コールドプレート２１およびラジエータ２３に冷媒液を供給する。
【００２７】
ポンプ６は、ラジエータ２３の第２方向他方側に隣接して配置される。ポンプ６は、後述する第２タンク４４の側面に配置されてもよい。本実施形態における、ポンプ６は遠心型ポンプであり、直方体形状の筐体の内部に冷媒液の流路であるポンプ流路を有する（不図示）。ポンプ流路には、羽根車（不図示）が配置される。ポンプ６は、吸込口（不図示）と吐出口（不図示）とを有する。
【００２８】
ポンプ６の吸込口とラジエータ２３と第２流路とは直接的、または、間接的に接続される。ポンプ６の吐出口は、コールドプレート２１の流入口と接続される。本実施形態では、ポンプ６の吸込口とラジエータ２３とは第２タンク４４を介して接続される。
【００２９】
ポンプ６の羽根車は、第２方向に延びる中心軸を中心に回転可能に支持され、モータ（不図示）の回転軸と連結される。モータの駆動により羽根車が回転し、吸込口から流入した冷媒液が吐出口から吐出される。ポンプ６は、吸込口を介してパイプの延びる方向に冷媒液を吸込む。
【００３０】
＜タンク＞
第１冷却ユニット１１は、冷媒液を収容する第１タンク４１および第２タンク４２をさらに有する。第１タンク４１は、第１冷却ユニット１１の第２方向他方側に配置される。第２タンク４２は、第１冷却ユニット１１の第２方向一方側に配置される。第２タンク４２は、ラジエータ２２とポンプ５との第２方向間に配置される。パイプの一端は第２タンク４２と連結され、パイプの他端は第１タンク４１と連結される。第１タンク４１および第２タンク４２はパイプの延びる方向に対向して配置される。冷媒液は、パイプを介して第１タンク４１から第２タンク４２へ直線状に円滑に流通する。
【００３１】
第１タンク４１および第２タンク４２は、フィン２４の配列方向に対して平行に配置されており、第１タンク４１と第２タンク４２との間に複数のフィン２４を所定の間隔でより多く配置することができる。これにより、フィン２４全体の表面積を大きくしてラジエータ２２の冷却性能を向上することができる。また、パイプと第１タンク４１および第２タンク４２とを容易に接続することができる。
【００３２】
パイプは、第１タンク４１および第２タンク４２の側面を貫通して第１タンク４１及び第２タンク４２に直接連結される。これにより、冷却装置１の部品点数を削減することができる。
【００３３】
第１タンク４１および第２タンク４２は直方体である。第２タンク４２は後述するポンプ５と接続する孔部（不図示）が設けられる。
【００３４】
第１タンク４１および第２タンク４２を設けることで、第１冷却ユニット１１内に循環させる冷媒液の量を増やすことができる。したがって、第１冷却ユニット１１の冷却効率が向上する。
【００３５】
第２冷却ユニット１２は、冷媒液を収容する第１タンク４３および第２タンク４４をさらに有する。第１タンク４３は、第２冷却ユニット１２の第２方向一方側に配置される。第２タンク４４は、第２冷却ユニット１２の第２方向他方側に配置される。第２タンク４４は、ラジエータ２３とポンプ６の第２方向間に配置される。パイプの一端は第１タンク４３と接続され、パイプの他端は第２タンク４４と連結される。第１タンク４３および第２タンク４４はパイプの延びる方向に対向して配置される。冷媒液は、パイプを介して第１タンク４３から第２タンク４４へ直線状に円滑に流通する。
【００３６】
第１タンク４３および第２タンク４４は、フィン２５の配列方向に対して平行に配置されており、第１タンク４３と第２タンク４４との間に複数のフィン２５を所定の間隔でより多く配置することができる。これにより、フィン２５全体の表面積を大きくしてラジエータ２３の冷却性能を向上することができる。また、パイプと第１タンク４３および第２タンク４４とを容易に接続することができる。
【００３７】
パイプは、第１タンク４３および第２タンク４４の側面を貫通して第１タンク４３及び第２タンク４４に直接連結される。これにより、冷却装置１の部品点数を削減することができる。
【００３８】
第１タンク４３および第２タンク４４は直方体である。第２タンク４４は後述するポンプ６と接続する孔部（不図示）が設けられる。
【００３９】
第１タンク４３および第２タンク４４を設けることで、第２冷却ユニット１２内に循環させる冷媒液の量を増やすことができる。したがって、第２冷却ユニット１２の冷却効率が向上する。
【００４０】
（冷却ユニットの動作）
第１冷却ユニット１１において、コールドプレート２０の下面に、例えばＣＰＵ等の冷却されるべき発熱部品３を接触させて、ポンプ５を駆動する。これにより、第１冷媒流路、第１タンク４１、第２冷媒流路および第２タンク４２の順で冷媒液が循環する。発熱部品３の発熱はコールドプレート２０に伝達される。コールドプレート２０に伝達された熱は、第１冷媒流路および第２冷媒流路を流通する冷媒液を介してフィン２４に伝達される。これにより、フィン２４を介して放熱が行われ、発熱部品３の温度上昇を抑制することができる。第２冷却ユニット１２においても同様である。
【００４１】
＜送風ファン＞
第１冷却ユニット１１または第２冷却ユニット１２と、第３方向に対向する位置に、送風ファン２８が配置されている。本実施形態の送風ファン２８は軸流式である。フィン２４、２５が長手方向（第３方向）に延びる方向に冷却風を送風することにより、フィン２４、２５からの放熱を促し、ラジエータ２２、２３の冷却性能が向上する。複数の送風ファン２８を第１冷却ユニット１１または第２冷却ユニット１２に対向して配置してもよい。また、本実施形態では、１つのファン２８を第１冷却ユニット１１と第２冷却ユニット１２の両方に対向して配置してもよい。
【００４２】
第１冷却ユニット１１のポンプ５は、第２冷却ユニット１２と、第２方向に対向して配置される。
【００４３】
第１冷却ユニット１１と第２冷却ユニット１２とを隣接して配置し、第１冷却ユニット１１のポンプ５と第２冷却ユニット１２とを、第２方向に対向して配置することで、ポンプ５と第２冷却ユニット１２との第２方向の隙間を小さくすることができる。したがって、該隙間に冷却風が流れ込みにくくなり、ラジエータ２２、２３に効率よく冷却風を流し込むことができる。
【００４４】
第１冷却ユニット１１のポンプ５は、第２冷却ユニット１２と、第１方向および第２方向と直行する第３方向と対向して配置される。
【００４５】
第１冷却ユニット１１のポンプ５を、第２冷却ユニット１２と、第１方向および第２方向と直行する第３方向と対向して配置することで、ポンプ５と冷却ユニット１２との第３方向の隙間を小さくすることができる。したがって、該隙間に冷却風が流れ込みにくくなり、ラジエータ２２、２３に効率よく冷却風を流し込むことができる。
【００４６】
第１冷却ユニット１１のポンプ５と第２冷却ユニット１２のポンプ６は、第２方向に向かい合って配置される。具体的には、第１冷却ユニット１１のポンプ５は、第２方向一方側に配置されている。一方、第２冷却ユニット１２のポンプ６は、第２方向他方側に配置されている。つまり、第１冷却ユニット１１と第２冷却ユニットとの第２方向間に、ポンプ５およびポンプ６がそれぞれ配置されている。本実施形態では、第１冷却ユニット１１のポンプ５は、第２冷却ユニット１２のポンプ６よりも第３方向の冷却風の下流側に配置される。
【００４７】
ポンプ５とポンプ６とを向かい合わせて配置することで、第１冷却ユニット１１と第２冷却ユニット１２との隙間を小さくすることができる。第１冷却ユニット１１と第２冷却ユニット１２との隙間を小さくすることで、第３方向から流れ込む冷却風が第１冷却ユニットと第２冷却ユニット１２との隙間を通り抜けにくくなる。したがって、ポンプ５とポンプ６とを向かい合わせて配置することで、冷却風を第１冷却ユニット１１のラジエータ２２と、第２冷却ユニット１２のラジエータ２３に効率よく流し込むことができる。
【００４８】
第１冷却ユニット１１のポンプ５の少なくとも一部と、第２冷却ユニット１２のポンプ６の少なくとも一部とは、第３方向に対向して配置される。ポンプ５とポンプ６とが第３方向に対向することで、ポンプ５とポンプ６との第３方向の隙間を小さくすることができる。したがって、冷却風は該隙間に入り込みにくくなる。よって、冷却風をラジエータ２２、２３に効率よく流し込むことができる。
【００４９】
本実施形態では、第１冷却ユニット１１のポンプ５は、第２冷却ユニットの第２タンク４４と第２方向に対向して配置される。第２冷却ユニット１２のポンプ６は、第１冷却ユニットの第２タンク４２と第２方向に対向して配置される。第１冷却ユニット１１のポンプ５が、第２冷却ユニット１２の第２タンク４４と第２方向に対向して配置されることで、ポンプ５と第２タンク４４との隙間を小さくすることができる。さらに、第２冷却ユニット１２のポンプ６が、第１冷却ユニット１１の第２タンク４２と第２方向に対向して配置されることで、ポンプ６と第２タンク４２との隙間を小さくすることができる。したがって、冷却風は、ポンプ５と第２タンク４４との隙間に入り込みにくくなる。また、冷却風は、ポンプ６と第２タンク４２との隙間に入り込みにくくなる。よって、冷却風をラジエータ２２、２３に効率よく流し込むことができる。
【００５０】
第１冷却ユニット１１のポンプ５の少なくとも一部と、第２冷却ユニット１２のポンプ６の少なくとも一部とは、第３方向に対向して配置される。第１冷却ユニット１１のポンプ５の少なくとも一部と、第２冷却ユニット１２のポンプ６の少なくとも一部が、第３方向に対向して配置されることで、ポンプ６と第２タンク４２との間に流れ込んだ冷却風の一部がポンプ５に衝突する。詳細には、第３方向の上流側から下流側に直線状に流れ込む冷却風は、ポンプ５の第３方向の端面に衝突し、第２方向の一方側に向きを変える。さらに、第２方向の一方側に向きを変えた冷却風は、ポンプ５とポンプ６との間を通る。つまり、第３方向に流れる冷却風はポンプ５に阻害され、さらには、ポンプ５とポンプ６との間を通るため、滑らかに第３方向の下流側に向かって流れない。したがって、冷却風は、ラジエータ２２、２３に流れ込み易くなる。よって、冷却風をラジエータ２２、２３に効率よく流し込むことができる。
【００５１】
なお、第１冷却ユニット１１と第２冷却ユニット１２との第２方向の隙間は、狭いことが好ましい。たとえば、第１冷却ユニット１１と第２冷却ユニット１２とが第２方向に隣り合う隙間は、各冷却ユニット１１、１２の第２方向の幅よりも小さい。第１冷却ユニット１１と第２冷却ユニット１２との第２方向の隙間を狭くすることで、冷却風が該隙間へ流れ込むことを阻害し、よりラジエータ２２、２３のフィン２４、２５間へ冷却風を流し込むことができる。
【００５２】
さらに本実施形態のポンプ５、６は、冷却ユニット１１、１２の第２方向側面において、第３方向の片側に寄せて配置されている。図１に示すように、ポンプ５、６を冷却ユニット１１、１２の第２方向側面において、第３方向の片側に寄せて配置することで、ポンプ５およびポンプ６を第３方向に対向して配置することができる。隣り合う発熱部品３の距離が短い場合であっても、ポンプ５およびポンプ６を第３方向に対向して配置することで、冷却ユニット１１、１２を大きくすることができる。つまり、ラジエータ２２、２３を大型化することができ、発熱部品３の放熱を向上させることができる。
【００５３】
なお、第１冷却ユニット１１と第２冷却ユニット１２との第２方向の隙間は、なくてもよい。つまり、第１冷却ユニット１１と第２冷却ユニット１２とは、第２方向に接触して配置されてもよい。第１冷却ユニット１１と第２冷却ユニット１２とを第２方向に接触して配置することで、冷却風が冷却ユニット間へ流れ込むことを阻害し、よりラジエータ２２、２３のフィン２４、２５間へ冷却風を流し込むことができる。
【００５４】
本実施形態では、第１タンク４１、４３と第２タンク４２、４４を設けない構造であってもよい。第１タンク４１、４３と第２タンク４２、４４を設けない場合、第１冷却ユニット１１のラジエータ２２と第２冷却ユニット１２のポンプ６は第２方向に対向し、第２冷却ユニット１２のラジエータ２３と第１冷却ユニット１１のポンプ５は第２方向に対向する。第１タンク４１、４３と第２タンク４２、４４を設けない場合、第１冷却ユニット１１および第２冷却ユニット１２を小さくすることができる。
【００５５】
＜第２実施形態＞
本発明の例示的な第２実施形態の冷却装置１Ａについて説明する。図２は、例示的な第２実施形態に係る冷却装置１Ａの平面図である。説明の便宜上、前述の第１実施形態と同様の部分には同一の符号を付す。
【００５６】
本実施形態では、第１冷却ユニット１１Ａのポンプ５Ａと第２冷却ユニット１２Ａが隣接して配置されている。第１冷却ユニット１１Ａのポンプ５Ａは、第２冷却ユニット１２Ａのポンプ６Ａよりも第３方向の冷却風の下流側に配置される。第１冷却ユニット１１Ａの第２タンク４２Ａと第２冷却ユニット１２Ａのポンプ６Ａは第２方向に対向し、第２冷却ユニット１２Ａの第２タンク４４Ａと第１冷却ユニット１１Ａのポンプ５Ａは第２方向に対向する。
【００５７】
本実施形態では、第１冷却ユニット１１Ａのポンプ５Ａの第２方向一方側端部は、第２方向において、第２冷却ユニット１２Ａのポンプ６Ａの第２方向他方側端部と同じ位置にある。詳細には、冷却装置１Ａを第３方向から見たときに、ポンプ５Ａの第２方向の一方側端部の位置と、ポンプ６Ａの第２方向の他方側端部の位置とが、第２方向において同じである。具体的には、第３方向から見たときに、ポンプ５Ａとポンプ６Ａとの第２方向間に隙間が無い構造である。ポンプ６Ａと第２タンク４２Ａとの間から流れ込んだ冷却風の一部がポンプ５Ａに衝突して、第２方向一方側に向きを変える構成であればよい。第３方向から見たときに、ポンプ５Ａの第２方向一方側の端部の位置と、ポンプ６Ａの第２方向他方側の端部の位置とが第２方向において同じにすることで、第３方向から流れ込む冷却風が第３方向下流側に滑らかに流れ込まない。したがって、冷却風はポンプ６Ａと第２タンク４２Ａとの第３方向の隙間にではなく、ラジエータ２２Ａ、２３Ａに流れ込む。よって、冷却風をラジエータ２２Ａ、２３Ａに効率よく流し込むことができる。
【００５８】
本実施形態では、第１タンク４１Ａ、４３Ａと第２タンク４２Ａ、４４Ａを設けない構造であってもよい。第１タンク４１Ａ、４３Ａと第２タンク４２Ａ、４４Ａを設けない場合、第１冷却ユニット１１Ａのラジエータ２２Ａと第２冷却ユニット１２Ａのポンプ６Ａは第２方向に対向し、第２冷却ユニット１２Ａのラジエータ２３Ａと第１冷却ユニット１１Ａのポンプ５Ａは第２方向に対向する。第１タンク４１Ａ、４３Ａと第２タンク４２Ａ、４４Ａを設けない場合、第１冷却ユニット１１Ａおよび第２冷却ユニット１２Ａを小さくすることができる。
【００５９】
＜第３実施形態＞
本発明の例示的な第３実施形態の冷却装置１Ｂについて説明する。図３は、例示的な第３実施形態に係る冷却装置１Ｂの平面図である。説明の便宜上、前述の第１実施形態と同様の部分には同一の符号を付す。
【００６０】
本実施形態では、第１冷却ユニット１１Ｂのポンプ５Ｂと第２冷却ユニット１２Ｂとが隣接して配置されている。第１冷却ユニット１１のポンプ５Ｂと、第２冷却ユニット１２のポンプ６Ｂとは、第２方向に対向して配置される。
【００６１】
詳細には、ポンプ５Ｂの第２方向一方側の面と、ポンプ６Ｂの第２方向他方側の面が第２方向に対向して配置される。ポンプ５Ｂとポンプ６Ｂとを第２方向に対向して配置し、ポンプ５Ｂとポンプ６Ｂとの第２方向の隙間を小さくすることで、第３方向から流れ込む冷却風がポンプ５Ｂとポンプ６Ｂとの第２方向の隙間を通り抜けにくくなる。したがって、ポンプ５Ｂとポンプ６Ｂとを第２方向に対向して配置することで、冷却風を第１冷却ユニット１１Ｂのラジエータ２２Ｂと、第２冷却ユニット１２Ｂのラジエータ２３Ｂに効率よく流し込むことができる。
【００６２】
ポンプ５Ｂとポンプ６Ｂは、第３方向の冷却風の上流側に配置されることが望ましい。
冷却風がポンプ５Ｂとポンプ６Ｂとの隙間に流れ込む際に、該隙間において冷却風の上流側の第２方向の幅を小さくすることで、より冷却風を該隙間に流し込みにくくし、ラジエータ２２Ｂ、２３Ｂに冷却風を効率よく流し込むことができる。
【００６３】
本実施形態では、第１タンク４１Ｂ、４３Ｂと第２タンク４２Ｂ、４４Ｂを設けない構造であってもよい。第１タンク４１Ｂ、４３Ｂと第２タンク４２Ｂ、４４Ｂを設けない場合、第１冷却ユニット１１Ｂのラジエータ２２Ｂと第２冷却ユニット１２Ｂのラジエータ２３Ｂは第２方向に対向する。第１タンク４１Ｂ、４３Ｂと第２タンク４２Ｂ、４４Ｂを設けない場合、第１冷却ユニット１１Ｂおよび第２冷却ユニット１２Ｂを小さくすることができる。
【００６４】
＜第４実施形態＞
本発明の例示的な第４実施形態の冷却装置１Ｃについて説明する。図４は、例示的な第４実施形態に係る冷却装置１Ｃの平面図である。説明の便宜上、前述の第１実施形態と同様の部分には同一の符号を付す。
【００６５】
本実施形態では、第１冷却ユニット１１Ｃのポンプ５Ｃと第２冷却ユニット１２Ｃのポンプ６Ｃとが、第３方向に隣接して配置されている。第１冷却ユニット１１Ｃは、第２冷却ユニット１２Ｃよりも第３方向の冷却風の下流側に配置される。具体的には、第１冷却ユニット１１Ｃのポンプ５Ｃは、第２冷却ユニット１２Ｃのポンプ６Ｃよりも第３方向の冷却風の下流側に配置される。
【００６６】
本実施形態において、第１冷却ユニット１１Ｃの第２タンク４２Ｃと第２冷却ユニット１２Ｃの第２タンク４２Ｃは第２方向に対向せず、ポンプ５Ｃとポンプ６Ｃとが第３方向に対向する。
【００６７】
ポンプ５Ｃとポンプ６Ｃが第３方向に対向して配置することで、ポンプ５Ｃとポンプ６Ｃの隙間を小さくすることができる。したがって、該隙間に冷却風が流れ込みにくくなり、ラジエータ２２Ｃに効率よく冷却風を流し込むことができる。
【００６８】
本実施形態では、第３方向から見たときに、第２冷却ユニット１２Ｃのポンプ６Ｃは、第１タンク４２Ｃと第２方向に重なる。第３方向から見たときに、第２冷却ユニット１２Ｃのポンプ６Ｃは、ラジエータ２２Ｃと第２方向に重ならないことが望ましい。第３方向から見たときに、ポンプ６Ｃがラジエータ２２Ｃと第２方向に重なることで、ラジエータ２２Ｃに流れ込む冷却風の一部をポンプ６Ｃが阻害する。したがって、第３方向から見たときに、ポンプ６Ｃが、ラジエータ２２Ｃと第２方向に重ならず、第１タンク４２Ｃと第２方向に重なることで、冷却風をラジエータ２２Ｃに滑らかに流し込むことができる。
【００６９】
また、本実施形態では、第１タンク４１Ｃ、４３Ｃと第２タンク４２Ｃ、４４Ｃを設けない構造であってもよい。第１タンク４１Ｃ、４３Ｃと第２タンク４２Ｃ、４４Ｃを設けない場合、第１冷却ユニット１１Ｃおよび第２冷却ユニット１２Ｃを小さくすることができる。また、第１タンク４１Ｃ、４３Ｃと第２タンク４２Ｃ、４４Ｃを設けない場合においても、ポンプ６Ｃとラジエータ２２Ｃは第３方向からみたときに第２方向に重ならないことが望ましい。
【００７０】
＜第５実施形態＞
本発明の例示的な第５実施形態の冷却装置１Ｄについて説明する。図５は、例示的な第５実施形態に係る冷却装置１Ｄの平面図である。説明の便宜上、前述の第１実施形態と同様の部分には同一の符号を付す。
【００７１】
本実施形態では、第１冷却ユニット１１Ｄと第２冷却ユニット１１Ｄとが隣接して配置されている。第１冷却ユニット１１Ｄは、第２冷却ユニット１２Ｄよりも第３方向において冷却風の下流側に配置される。第１冷却ユニット１１Ｄのポンプ５Ｄは、第２冷却ユニット１２Ｄのポンプ６Ｄよりも第３方向の冷却風の下流側に配置される。
【００７２】
第２タンク４２Ｄの一部と第２タンク４４Ｄの一部とが第２方向に対向して配置される。また、第２タンク４２Ｄとポンプ６Ｄとが隣接して配置される。第２タンク４２Ｄとポンプ６Ｄとが隣接して配置されることで、第２タンク４２Ｄとポンプ６Ｄとの隙間を小さくすることができる。詳細には、第２タンク４２Ｄとポンプ６Ｄは第３方向に対向して配置される。第２タンク４２Ｄとポンプ６Ｄの隙間を小さくすることで、第３方向から流れ込む冷却風が第２タンク４２Ｄとポンプ６Ｄとの隙間を通りにくくなる。したがって、第２タンク４２Ｄとポンプ６Ｄとを第３方向に対向して配置することで、冷却風をラジエータ２２Ｄに効率よく流し込むことができる。
【００７３】
ポンプ６Ｄは、冷却風の第３方向上流側から見たときに、ラジエータ２２Ｄと第３方向に重ならないことが望ましい。ポンプ６Ｄとラジエータ２２Ｄとが第３方向に重ならないことで、第３方向からラジエータ２２Ｄに流れ込む冷却風をポンプ６Ｄで阻害することを抑制することができる。したがって、ラジエータ２２Ｄに効率よく冷却風を流し込むことができる。
【００７４】
また、本実施形態では、第１タンク４１Ｄ、４３Ｄと第２タンク４２Ｄ、４４Ｄを設けない構造であってもよい。第１タンク４１Ｄ、４３Ｄと第２タンク４２Ｄ、４４Ｄを設けない場合、第１冷却ユニット１１Ｄおよび第２冷却ユニット１２Ｄを小さくすることができる。第１タンク４１Ｄ、４３Ｄと第２タンク４２Ｄ、４４Ｄを設けない場合においても、ポンプ６Ｄとラジエータ２２Ｄは第３方向からみたときに第２方向に重ならないことが望ましい。
【００７５】
＜第６実施形態＞
本発明の例示的な第６実施形態の冷却装置１Ｅについて説明する。図６は、例示的な第６実施形態に係る冷却装置１Ｅの平面図である。説明の便宜上、前述の第１実施形態と同様の部分には同一の符号を付す。
【００７６】
第１冷却ユニット１１Ｅのポンプ５Ｅは、第２方向一方側に配置されている。また、第２冷却ユニット１２Ｅのポンプ６Ｅは、第２方向一方側に配置されている。本実施形態において、第１冷却ユニット１１Ｅのポンプ５Ｅと、第２冷却ユニットの第１タンク４３Ｅとが第２方向に隣接して配置されている。詳細には、ポンプ５Ｅと第１タンク４３Ｅとが第２方向に対向して配置されている。ポンプ５Ｅと第１タンク４３Ｅを第２方向に対向して配置し、ポンプ５Ｅと第１タンク４３Ｅとの第２方向の隙間を小さくすることで、第３方向から流れ込む冷却風がポンプ５Ｅと第１タンク４３Ｅとの隙間を通り抜けにくくなる。したがって、ポンプ５Ｅと第１タンク４３Ｅとを対向して配置することで、第１冷却ユニット１１Ｅのラジエータ２２Ｅと、第２冷却ユニット１２Ｅのラジエータ２３Ｅに冷却風を効率よく流し込むことができる。
【００７７】
ポンプ５Ｅとポンプ６Ｅとが、第２方向において対向しないため、第１冷却ユニット１１Ｅと第２冷却ユニット１２Ｅを取り付ける際に、ポンプ５Ｅとポンプ６Ｅとが干渉することを防ぎ、冷却装置１Ｅの損傷を抑制することができる。
【００７８】
また、本実施形態では、ポンプ５Ｅとタンク４３Ｅとが第２方向に対向して配置されている構造について説明したが、第２冷却ユニット１２Ｅに第１タンク４３Ｅを設けない構造であってもよい。第２冷却ユニット１２Ｄに第１タンク４３Ｄが設けられない場合、ポンプ５Ｅとラジエータ２３Ｅとが第２方向に対向する。
【００７９】
（その他）
上記実施形態では遠心型のポンプを用いたが、ダイヤフラム型、カスケード型等のポンプを用いてもよい。また、ファンは軸流式ファンを用いたが、例えば遠心式のファン等を用いてもよい。
【００８０】
上記実施形態は、本発明の例示にすぎない。実施形態の構成は、本発明の技術的思想を超えない範囲で適宜変更されてもよい。また、実施形態は、可能な範囲で組み合わせて実施されてよい。
【符号の説明】
【００８１】
１、１Ａ、１Ｂ、１Ｃ、１Ｄ、１Ｅ・・・冷却装置
３・・・発熱部品
５、５Ａ、５Ｂ、５Ｃ、５Ｄ、５Ｅ・・・ポンプ
６、６Ａ、６Ｂ、６Ｃ、６Ｄ、６Ｅ・・・ポンプ
１１、１１Ａ、１１Ｂ、１１Ｃ、１１Ｄ、１１Ｅ・・・第１冷却ユニット
１２、１２Ａ、１２Ｂ、１２Ｃ、１２Ｄ、１２Ｅ・・・第２冷却ユニット
２０、２０Ａ、２０Ｂ、２０Ｃ、２０Ｄ、２０Ｅ・・・コールドプレート
２１、２１Ａ、２１Ｂ、２１Ｃ、２１Ｄ、２１Ｅ・・・コールドプレート
２２、２２Ａ、２２Ｂ、２２Ｃ、２２Ｄ、２２Ｅ・・・ラジエータ
２３、２３Ａ、２３Ｂ、２３Ｃ、２３Ｄ、２３Ｅ・・・ラジエータ
２８、２８Ａ、２８Ｂ、２８Ｃ、２８Ｄ、２８Ｄ、２８Ｅ・・・ファン
４１、４１Ａ、４１Ｂ、４１Ｃ、４１Ｄ、４１Ｅ・・・第１タンク
４２、４２Ａ、４２Ｂ、４２Ｃ、４２Ｄ、４２Ｅ・・・第２タンク
４３、４３Ａ、４３Ｂ、４３Ｃ、４３Ｄ、４３Ｅ・・・第１タンク
４４、４４Ａ、４４Ｂ、４４Ｃ、４４Ｄ、４４Ｅ・・・第２タンク
【図１】
2020076530.tif 000003
【図２】
2020076530.tif 000004
【図３】
2020076530.tif 000005
【図４】
2020076530.tif 000006
【図５】
2020076530.tif 000007
【図６】
2020076530.tif 000008